(57)【要約】      （修正有）【課題】ディスク挿入口から誤って挿入された、硬貨や金属クリップなどの異物が、シャーシ内部に設けられた回路基板の裏面側に侵入しないシャーシ構造を有する電子機器を提供する。【解決手段】シャーシ５の内方へ突出するリブ状の凸部８ａ、８ｂを側壁５ａに一体で形成し、回路基板２の周辺端部２ａと凸部８ａ、８ｂとの最小隙間６ｂ、６ｃおよび側壁５ａとの隙間６ａを、異物１２の幅寸法Ｂよりも狭く設定する。この構成により下部空間１１側への異物１２の侵入を防止することができる。したがって、異物１２が電子部品７の端子部７ａと接することがなく、ショート（短絡）が発生しない。また、回路基板２の外形寸法がばらついても、回路基板２がシャーシ５側から機械的な負荷（ストレス）を受けたり、シャーシ５の外部の静電気が直接に伝達し回路基板２や電子部品７が静電破壊する恐れもない。【選択図】図２
2007080980.tif 000002
【特許請求の範囲】
【請求項１】
回路基板を収納するシャーシを備えた電子機器において、
前記シャーシは底面と、その底面に立設された側壁からなり、前記回路基板には前記底面に対向する裏面側に導電パターンが形成され、且つその周辺端部が前記シャーシの側壁から所定間隔離れて取り付けられると共に、前記側壁で前記回路基板の表面側または裏面側から離れた部位の少なくとも一方には、前記シャーシ内に向かって突出する凸部が設けられており、前記凸部と前記回路基板との隙間が最小の間隔となる部位が、前記シャーシの内方へ挿入されて前記回路基板の表面側へ侵入した異物の最小厚み寸法部よりも狭く形成されていることを特徴とする電子機器。
【請求項２】
回路基板を収納するシャーシを備えた電子機器において、
前記シャーシは底面と、その底面に立設された側壁からなり、前記回路基板には前記底面に対向する裏面側に導電パターンが形成され、且つその周辺端部が前記シャーシの側壁から所定間隔離れて取り付けられると共に、前記側壁で前記回路基板の表面側または裏面側から離れた部位の少なくとも一方には、前記シャーシ内に向かって突出する凸部が設けられており、前記凸部は、前記シャーシの内方へ挿入されて前記周辺端部と前記側壁との隙間を通過する異物が、該凸部と前記周辺端部と前記側壁との３つの部位に同時に当接する位置に形成されていることを特徴とする電子機器。
【請求項３】
前記凸部が１つの連続したリブ状であり、前記周辺端部に沿って形成されていることを特徴とする請求項１または２記載の電子機器。
【請求項４】
前記凸部が互いに離れて突設する複数の突起からなり、前記周辺端部に沿って形成されていることを特徴とする請求項１または２記載の電子機器。
【請求項５】
前記異物が、硬貨などの導電性を有する材質であることを特徴とする請求項１ないし４記載の電子機器。
【発明の詳細な説明】
【技術分野】
【０００１】
本発明は、例えば車載用のＣＤプレーヤ機器のように、主にコンソールボックスに取り付けられる車載用電子機器に係り、特にシャーシ内部に収納された回路基板裏面側への異物侵入防止構造を有する電子機器用筐体に関する。
【背景技術】
【０００２】
従来、電子部品が実装された回路基板やディスク駆動装置を内設するシャーシの前面に、ＣＤやＤＶＤなどのディスク挿入口が開口されたノーズ（フロントパネル）が設置された車載用電子機器において、ユーザーの過誤により挿入口から誤挿入された硬貨などの導電性を有する異物から回路基板を保護するために、その回路基板の表面に非導電性の絶縁シートを設置してショート（短絡）を防ぐ絶縁構造を有する車載用電子機器が提案されている。（例えば、特許文献１参照）。
【０００３】
図５は、上記従来の車載用電子機器を構成するノーズ４０を正面から見た部分断面図であり、ノーズ４０にはディスク挿入口４３が開口されている。また、この車載用電子機器は、ノーズ４０を支持し、内部に回路基板４１やディスク駆動装置４２を収納するシャーシ４４を有している。
【０００４】
このシャーシ４４の側壁４４ａと回路基板４１の周辺端部４１ａとの間には、回路基板４１の外形寸法のばらつきを吸収するために隙間４５が形成されており、互いに接触しない構成となっている。回路基板４１は、表面４１ｂ側にディスク駆動装置４２を駆動するためのコンデンサーなどの各種電子部品４６が複数実装されており、裏面４１ｃには電子部品４６の端子部４６ａが突出し、複数の端子部４６ａを接続するための導電パターン（図示せず）が形成された構成となっている。また、回路基板４１の裏面４１ｃには端子部４６ａおよび導電パターン（図示せず）を覆い隠す形で、ＰＶＣ（塩化ビニル）などからなるシート状の絶縁シート４７（破線部）が接着されている。
【０００５】
この構成において、ＣＤやＤＶＤなどのディスクは、ディスク挿入口４３から挿入された後ディスク駆動装置４２に装着され再生動作される。また、ディスク挿入口４３から硬貨などの異物４９が誤挿入されたとき、それらの異物４９が隙間４５を通過して裏面４１ｃの側に侵入した場合においても、裏面４１ｃが絶縁シート４７により保護されていることからショートによる問題は発生しない。なお裏面４１ｃを絶縁する方法については、絶縁シート４７で示すシート状の部材を接着する方法の他にも、液状の絶縁コーティング剤を回路基板の表面に塗布する方法も用いられている。
【０００６】
【特許文献１】特開平１１−１６３５５６号公報
【発明の開示】
【発明が解決しようとする課題】
【０００７】
ところが、回路基板４１の裏面４１ｃは、端子部４６ａなどが多数突出している上に、半導体などの高さが異なる電子部品が複数実装されて凹凸状の形状となっており、絶縁シート４７を充分に密着させることが非常に困難であった。そして、絶縁シート４７が密着できないことにより発生した隙間４８に異物４９が侵入し、回路基板４１がショートする恐れがあった。また、絶縁シート４７の採用は、材料費および組立費の両面でコスト高の原因にもなっていた。一方、絶縁コーティング剤に至っては、ショートによる不具合が発生する恐れはないものの、塗膜厚のばらつきの品質管理および揮発成分の環境対策など、取扱い上の課題が多かった。
【０００８】
本発明は、上記従来の課題を解決するものであり、回路基板の裏面側への異物の進入を安価に防止できる構造を提供し、回路基板への絶縁部材の適用を不要とすることを目的としている。
【課題を解決するための手段】
【０００９】
本発明に係る電子機器は、回路基板を収納するシャーシを備えた電子機器において、前記シャーシは底面と、その底面に立設された側壁からなり、前記回路基板には前記底面に対向する裏面側に導電パターンが形成され、且つその周辺端部が前記シャーシの側壁から所定間隔離れて取り付けられると共に、前記側壁で前記回路基板の表面側または裏面側から離れた部位の少なくとも一方には、前記シャーシ内に向かって突出する凸部が設けられており、前記凸部は、前記シャーシの内方へ挿入されて前記周辺端部と前記側壁との隙間部を通過する異物が、該凸部と前記周辺端部と前記側壁との３つの部位に同時に当接する位置に形成されていることを特徴とする。
【００１０】
上記構成によれば、誤ってシャーシ内に挿入された異物が回路基板の周辺端部と側壁との隙間を通過することができない。したがって、異物が回路基板とシャーシの底面との間に侵入することがなく、異物が回路基板の裏面側に形成された導電パターンへ接触することがない。また、回路基板の外形寸法にばらつきがあったり、シャーシへの組付けに際し若干の位置ずれが起きても、凸部と回路基板とが接触することはない。したがって、回路基板がシャーシ側から機械的な負荷（ストレス）を受けたり、導電パターン部と接してショート（短絡）する問題が発生しない。また、空間距離が確保されることから静電気が伝達し回路基板が静電破壊する恐れもない。
【００１１】
本発明に係る電子機器は、回路基板を収納するシャーシを備えた電子機器において、前記シャーシは底面と、その底面に立設された側壁からなり、前記回路基板には前記底面に対向する裏面側に導電パターンが形成され、且つその周辺端部が前記シャーシの側壁から所定間隔離れて取り付けられると共に、前記側壁で前記回路基板の表面側または裏面側から離れた部位の少なくとも一方には、前記シャーシ内に向かって突出する凸部が設けられており、前記凸部は、前記シャーシの内方へ挿入されて前記周辺端部と前記側壁との隙間を通過する異物が、該凸部と前記周辺端部と前記側壁との３つの部位に同時に当接する位置に形成されていることを特徴とする。
【００１２】
上記構成によれば、回路基板の周辺端部と側壁との隙間が異物の最小厚み寸法部より広く形成されていても、その隙間を通過した異物が、凸部のいずれかの部位と周辺端部と側壁との３つの部位に同時に当接する構成であることから、該異物はこの隙間にて引っ掛かり、回路基板とシャーシの底面との間に脱落することがない。そのため、異物が回路基板の裏面側に形成された導電パターンへ接触することがない。また、回路基板の外形寸法にばらつきがあったり、シャーシへの組付けに際し若干の位置ずれが起きても、凸部と回路基板とが接触することはない。したがって、回路基板がシャーシ側から機械的な負荷（ストレス）を受けたり、導電パターン部と接してショート（短絡）する問題が発生しない。また、沿面距離が確保されることから静電気が伝達し回路基板が静電破壊する恐れもない。
【００１３】
本発明に係る電子機器は、前記凸部が１つの連続したリブ状であり、前記周辺端部に沿って形成されていることが好ましいが、前記凸部が互いに離れて突設する複数の突起からなり、前記周辺端部に沿って形成された構成であっても良い。
【００１４】
この凸部は、１つの連続したリブ状に形成されていることが好ましいが、異物の外形形状や寸法があらかじめ限定される場合には、該凸部を非連続の突起としてもよい。複数の凸部を異物の外形寸法よりも狭いピッチ（間隔）で周辺端部に沿って連設することにより、該異物の通過を防ぐことができる。この非連続の突起は、１つの連続したリブ状の突起とするよりも、シャーシへの形成が安価且つ容易である。
【００１５】
また、本発明に係る電子機器は、前記異物が、硬貨などの導電性を有する材質であってもよい。
【００１６】
この構成は、異物が回路基板とシャーシ底面との間へ侵入することができない構成であることから、該異物が回路基板の裏面側に形成された導電パターンと接することがない。したがって、該異物の材質が導電性を有するものであっても、ショート（短絡）の問題が発生することはない。
【発明の効果】
【００１７】
本発明では、シャーシに形成された凸部と回路基板との隙間が異物の外形寸法よりも狭く形成されている、あるいはその隙間にて異物が引っ掛かる位置に凸部が形成されていることから、該異物が凸部と回路基板との間を通過して、回路基板とシャーシ底面との間に侵入し、脱落することができない。そのため、異物が回路基板の裏面側に形成された導電パターンと接触することがなく、該異物が硬貨などの導電性を有するものであっても、ショート（短絡）による問題が発生しない。また、凸部はシャーシと一体で安価且つ容易に形成可能である。
【発明を実施するための最良の形態】
【００１８】
図１は本発明における電子機器のシャーシ部を示す斜視図、図２は図１に示す電子機器の正面の部分断面図、図３は本発明の第２の実施の形態を示す電子機器の正面の部分断面図、図４は本発明の第３の実施の形態を示す電子機器の斜視図、図５は従来の実施の例を示す正面の部分断面図である。なお、図中の矢印Ｘ１−Ｘ２は詳細を後述するシャーシ５の左右方向を、矢印Ｙ１−Ｙ２は内外方向を、矢印Ｚ１−Ｚ２は上下方向を示す。
【００１９】
図１は車載用の電子機器を示し、この電子機器はＣＤやＤＶＤなどのディスクに記録された情報を再生するディスク駆動装置３がシャーシ５に内蔵され、このシャーシ５の前部にノーズ１が設置された構成となっている。そして、シャーシ５が車室内に設けられたイントゥルメントパネルに開口する電子機器収納穴（図示せず）に埋設され、ノーズ１が車室内側に露出した状態で車両に設置される。
【００２０】
図１および図２に示すノーズ１は、Ｙ１方向から見た正面が略長方形状の箱体であり、主にＡＢＳ（アクリルニトリル・ブタジエンスチレン）などの合成樹脂によって形成されている。このノーズ１には、ディスク駆動装置３に対しディスクを挿入または排出するためのディスク挿入口４が開口されている。シャーシ５は主に薄厚の鋼板により形成された箱体である。シャーシ５の側壁５ａには凸部８ａ、８ｂが一体で形成されている。この凸部８ａ、８ｂは、シャーシ５の内方に向けて側壁５ａに突設されており、Ｙ1−Ｙ２方向において一直線のリブ状に形成されている。なお、特に図示しないが、シャーシ５はＹ１方向視において左右対称の形状となっていることから、側壁５ａの対面の側壁にも凸部８ａ、８ｂと同様の形状が形成されている。
【００２１】
シャーシ５の内部でディスク挿入口４の裏面側には、ディスク駆動装置３が設置されている。また、ディスク駆動装置３の下側にあって、Ｚ1−Ｚ２方向において凸部８ａと凸部８ｂとの間で側壁５ａと対向する部位には回路基板２が設置されている。なお、この回路基板２はシャーシ５の底面に対し略平行となっている。この回路基板２の周辺端部２ａと側壁５ａとの間には、隙間６ａが設けられている。そのため、回路基板２の外形寸法にばらつきが生じたり、シャーシ５へ組込むときに若干の位置ずれが発生しても、回路基板２とシャーシ５とが接触することはない。また、回路基板２がシャーシ５側から機械的な負荷（ストレス）を受けて破損したり、シャーシ５の外側の静電気が回路基板２や後述する電子部品７に直接伝わって静電破壊する恐れもない。回路基板２の表面２ｂと凸部８ａおよび裏面２ｃと凸部８ｂとはそれぞれが離れて配置されており、それらの最小間隔は隙間６ｂ、隙間６ｃである。この隙間６ｂ、６ｃは異物１２、例えば硬貨の厚さよりも狭い間隔に形成されている。
【００２２】
また、回路基板２の表面２ｂには、ディスク駆動装置３を制御、駆動するためのコンデンサーなどの各種電子部品７が多数実装されている。一方、裏面２ｃ側には電子部品７の端子部７ａが突出し、それら多数の端子部７ａどうしを接続するための導電パターン（図示せず）が形成された構成となっている。
【００２３】
以上のように構成された本発明による電子機器では、ユーザーの過誤によってディスク挿入口４から異物１２が挿入された場合、その異物１２は、ディスク挿入口４とディスク駆動装置３との隙間を通過し、シャーシ５の内方であって表面２ｂの上側である上部空間１０に入り込んでしまうことがある。しかし本構成では、図２に示す各隙間６ａ、６ｂ、６ｃの寸法が、異物１２の幅寸法Ｂよりも狭く形成されている。そのため、異物１２は各隙間６ａ、６ｂ、６ｃのいずれをも通過することができず、裏面２ｃと底面５ｂとの間となる下部空間１１側へ侵入し、裏面２ｃに形成された導電パターン部（図示せず）や端子部７ａと接することがない。
【００２４】
したがって、異物１２の材質が導電性を有するものであっても、ショート（短絡）による問題は発生せず、裏面２ｃに絶縁シートや絶縁コーティング剤などの絶縁手段を別途適用する必要がない。
【００２５】
なお、特に図示しないが、凸部８ａおよび凸部８ｂについては、少なくともいずれか一方が形成されていれば、異物１２の下部空間１１側への侵入を防ぐことができる。
【００２６】
次に、本発明の他の実施の形態について説明する。なお、図３に示す本発明の第２の実施の形態および図４に示す本発明の第３の実施の形態は、前記第１の実施の形態におけるシャーシ５の変形例である。そのためシャーシ５以外の構成に関しては第１の実施の形態と同様であることから、同一の符号を付して詳細な説明は省略する。
【００２７】
図３に示す本発明の第２の実施の形態では、シャーシ５の外部から回路基板２へ伝達する静電気への耐圧を向上させるなどの理由により空間距離を確保するため、隙間６ａ、６ｃが異物１２の幅寸法Ｂよりも、より大きく形成された構成を示している。この構成では、ユーザーの過誤によりディスク挿入口４から挿入された異物１２が、隙間６ａを通過してしまう可能性がある。
【００２８】
そこで本発明の第２の実施の形態では、凸８ｂの形成にあたり、その位置および突出量を、図３に示すような隙間６ａに侵入した異物１２が、凸８ｂと周辺端部２ａと側壁５ａとの３つの部位に同時に当接可能な部位に形成した。そのため異物１２は隙間６ａの部位にて引っ掛かり下部空間１１側へ脱落することがなく、異物１２が裏面２ｃに形成された導電パターン部（図示せず）や端子部７ａと接することはない。
【００２９】
また、図４に示す本発明の第３の実施の形態では、側壁５ａに一体で形成された複数の凸部２０が、シャーシ５の内方に向け突設された構成となっている。この凸部２０はＹ１−Ｙ２方向の一直線上に、それぞれがピッチＰの間隔で離れて形成されている。したがって、異物１２の外形寸法Ｃがあらかじめ限定されているときには、ピッチＰと外形寸法Ｃとの寸法関係をＣ＞Ｐとして形成することにより、異物１２が通過することができず、下部空間１１への侵入を防ぐことができる。このとき、凸部２０を単純な円柱形状とすれば、側壁５ａへ安価且つ容易に絞り形成することができる。なお、凸部２０の形状は、図４に示す円柱形状に限定されるものではなく、例えば三角柱や四角柱など他の形状に形成されていても良い。
【００３０】
なお、異物１２は硬貨に限定されるものではなく、他にも金属クリップなどの導電性を有する部材であっても良い。その場合には、隙間６ａ、６ｂ、６ｃおよびピッチＰなど異物の外形形状に依存する部位の寸法を、金属クリップの形状に適応させることで同様の効果を得ることができる。
【図面の簡単な説明】
【００３１】
【図１】本発明における電子機器のシャーシ部を示す斜視図。
【図２】図１に示す電子機器の正面の部分断面図。
【図３】本発明の第２の実施の形態を示す電子機器の正面の部分断面図。
【図４】本発明の第３の実施の形態を示す電子機器の斜視図。
【図５】従来の実施の例を示す正面の部分断面図。
【符号の説明】
【００３２】
１                  ノーズ
２                  回路基板
２ａ                周辺端部
２ｂ                表面
２ｃ                裏面
３                  ディスク駆動装置
４                  ディスク挿入口
５                  シャーシ
５ａ                側壁
６ａ、６ｂ、６ｃ    隙間
７                  電子部品
７ａ                端子部
８ａ、８ｂ          凸部
１０                上部空間
１１                下部空間
１２                異物
【図１】
2007080980.tif 000003
【図２】
2007080980.tif 000004
【図３】
2007080980.tif 000005
【図４】
2007080980.tif 000006
【図５】
2007080980.tif 000007